(57)【要約】【課題】パケットの待ち受け状態での消費電力を削減しつつ、データ送信の要求があった場合に速やかにパケット送信を行うことが可能な移動通信システムを提供する。【解決手段】移動局２は基地局１から指定された４ＣＨのＨＳ−ＳＣＣＨを常に受信し、ＨＳ−ＳＣＣＨに含まれる移動局ＩＤの情報を検知し、自局の移動局ＩＤと一致しているかどうかを判定する。ＨＳ−ＳＣＣＨで自局の移動局ＩＤを検知した場合、移動局２はそのＨＳ−ＳＣＣＨで送信されてくる制御情報を使って、そのＨＳ−ＳＣＣＨから所定の時間遅れで送信されるＨＳ−ＰＤＳＣＨを受信する。基地局１から移動局２にはＨＳ−ＳＣＣＨを用いて、上記の制御情報のみならず、予め設定された状態更新フレームにおける状態［アクティブ／サスペンド］を指示するための送受信状態更新情報をも通知されている。【選択図】　　　図１
2004147049.tif 000002
【特許請求の範囲】
【請求項１】
移動局が、基地局からのパケットの送信を通知するための制御情報を受信することで、前記移動局において前記パケットの受信が可能となる移動通信システムであって、
前記移動局における前記パケットの受信が可能か否かの状態の更新を示す送受信状態更新情報を前記移動局に通知する手段を前記基地局に有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定することを特徴とする移動通信システム。
【請求項２】
前記移動局は、前記アクティブ状態への変更指示を受けると、前記パケットの待ち受けと個別チャネルにて送信される個別チャネルデータの送受信とのうちの少なくとも一方を開始することを特徴とする請求項１記載の移動通信システム。
【請求項３】
前記移動局は、前記サスペンド状態において、前記個別チャネルデータの送信及び前記個別チャネルデータの受信のうちの少なくとも一方を停止することを特徴とする請求項２記載の移動通信システム。
【請求項４】
前記基地局は、前記サスペンド状態において、前記個別チャネルデータの送信及び前記個別チャネルデータの受信のうちの少なくとも一方を停止することを特徴とする請求項２または請求項３記載の移動通信システム。
【請求項５】
前記移動局は、前記送受信状態更新情報が正常受信できない時に前記アクティブ状態とすることを特徴とする請求項１から請求項４のいずれか記載の移動通信システム。
【請求項６】
前記移動局は、前記アクティブ状態への変更指示の正常受信時に前記基地局に当該変更指示の通知受信確認信号を送信することを特徴とする請求項１から請求項５のいずれか記載の移動通信システム。
【請求項７】
前記移動局は、前記通知受信確認信号として既存の信号を用いることを特徴とする請求項６記載の移動通信システム。
【請求項８】
前記移動局は、前記通知受信確認信号として下り回線の受信品質を示す下り回線品質情報を用いることを特徴とする請求項６記載の移動通信システム。
【請求項９】
前記基地局は、前記通知受信確認信号を受信しない時に前記移動局に対するパケットの送信を停止することを特徴とする請求項６から請求項８のいずれか記載の移動通信システム。
【請求項１０】
前記移動局は、前記送受信状態更新情報を受信する直前に前記下り回線品質情報を送信し、
前記基地局は、前記下り回線品質情報を基に推定されるパケット送信優先度に基づいて前記送受信状態更新情報を決定することを特徴とする請求項８または請求項９記載の移動通信システム。
【請求項１１】
前記基地局は、前記下り回線品質情報の信頼度に基づいて前記送受信状態更新情報を決定することを特徴とする請求項８から請求項１０のいずれか記載の移動通信システム。
【請求項１２】
前記移動局は、前記アクティブ状態において、前記パケットの送受信のための制御情報をモニタすることを特徴とする請求項１から請求項１１のいずれか記載の移動通信システム。
【請求項１３】
前記送受信状態更新情報を通知する手段は、前記送受信状態更新情報を予め設定された所定タイミングで前記移動局に通知することを特徴とする請求項１から請求項１２のいずれか記載の移動通信システム。
【請求項１４】
基地局から移動局に第１のチャネルにおいて第１のデータを送信する移動通信システムであって、
前記移動局における前記第１のデータの受信が可能か否かの状態の更新を示す送受信状態更新情報を前記移動局に通知する手段を前記基地局に有し、
前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定する手段を前記移動局に有し、
第２のチャネルで送信される第２のデータを前記送受信状態更新情報の送信タイミングに応じて送信する手段を前記基地局及び前記移動局に有することを特徴とする移動通信システム。
【請求項１５】
前記第２のデータを送信する手段は、前記第２のデータが発生した次の前記送受信状態更新情報の送信タイミングに応じて送信することを特徴とする請求項１４記載の移動通信システム。
【請求項１６】
前記第２のチャネルは、制御情報が送信される第３のチャネルとともに送信され、
前記基地局及び前記移動局は、前記第２のデータの送信の有無を、前記第３のチャネルで送信される制御情報を利用して判定することを特徴とする請求項１４または請求項１５記載の移動通信システム。
【請求項１７】
前記第２のデータの送信有無を判定する前記情報として、前記第２のチャネルの構成を示す送信フォーマット情報を利用することを特徴とする請求項１６記載の移動通信システム。
【請求項１８】
前記第２のチャネルは、制御情報が送信される第３のチャネルとともに送信され、
前記基地局は、前記第２のデータの送信の有無を、前記第３のチャネルと前記第２のチャネルとの電力比を用いて判定することを特徴とする請求項１４または請求項１５記載の移動通信システム。
【請求項１９】
前記移動局は、前記第２のデータの送信タイミングで送信すべき第２のデータがない場合に、所定のタイミングで前記第３のチャネルと前記第２のチャネルとのうちの少なくとも一方の送信を停止することを特徴とする請求項１４から請求項１８のいずれか記載の移動通信システム。
【請求項２０】
前記第２のチャネルは、制御情報が送信される第３のチャネルとともに送信され、
前記移動局は、送信すべき第２のデータがない場合に、所定のタイミングで前記第３のチャネルと前記第２のチャネルとのうちの少なくとも一方の送信を停止し、
前記基地局は、前記第２のデータの送信の有無を、前記第３のチャネルと前記第２のチャネルとのうちの少なくとも一方の誤り検出結果を用いて判定することを特徴とする請求項１４または請求項１５記載の移動通信システム。
【請求項２１】
前記基地局及び移動局は、所定の前記送受信状態更新情報の送信タイミングで前記第２のデータの送信がないことを判定した場合、所定のタイミングで前記第２のチャネルと前記第３のチャネルとのうちの少なくとも一方の受信を停止することを特徴とする請求項１４から請求項２０記載の移動通信システム。
【請求項２２】
前記基地局及び移動局は、前記第２のデータを送信する際に、当該第２のデータの送信終了時以降も当該第２のデータの送信が行われた単位フレーム内で前記第３のチャネルの送受信を継続することを特徴とする請求項１６から請求項２１のいずれか記載の移動通信システム。
【請求項２３】
基地局からのパケットの送信を通知するための制御情報を受信することで、前記パケットの受信が可能となる移動局であって、
前記基地局から送信されかつ自局に対する前記パケットの受信が可能か否かの状態の更新を示す送受信状態更新情報に応じて自局における前記状態を更新する手段を有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定することを特徴とする移動局。
【請求項２４】
基地局から第１のチャネルにおいて第１のデータを受信する移動局であって、
基地局から送信されかつ前記第１のデータの受信が可能か否かの状態の更新を示す送受信状態更新情報を受信する手段と、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定する手段と、第２のチャネルで送信される第２のデータを前記送受信状態更新情報の送信タイミングに応じて送信する手段とを有することを特徴とする移動局。
【請求項２５】
移動局においてパケットの受信を可能とするために前記パケットの送信を通知するための制御情報を前記移動局に送信する基地局であって、
前記移動局における前記パケットの受信が可能か否かの状態の更新を示す送受信状態更新情報を前記移動局に通知する手段を有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定することを特徴とする基地局。
【請求項２６】
移動局に第１のチャネルにおいて第１のデータを送信する基地局であって、
前記移動局における前記第１のデータの受信が可能か否かの状態の更新を示す送受信状態更新情報を前記移動局に通知する手段と、第２のチャネルで送信される第２のデータを前記送受信状態更新情報の送信タイミングに応じて送信する手段とを有し、
前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定することを特徴とする基地局。
【請求項２７】
移動局が、基地局からのパケットの送信を通知するための制御情報を受信することで、前記移動局において前記パケットの受信が可能となる移動通信システムのパケット通信方法であって、
前記移動局における前記パケットの受信が可能か否かの状態の更新を示す送受信状態更新情報を前記移動局に通知するステップを前記基地局に有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定することを特徴とするパケット通信方法。
【請求項２８】
基地局から移動局に第１のチャネルにおいて第１のデータを送信する移動通信システムのパケット通信方法であって、
前記基地局において、前記移動局における前記第１のデータの受信が可能か否かの状態の更新を示す送受信状態更新情報を前記移動局に通知し、
前記基地局及び前記移動局において、第２のチャネルで送信される第２のデータを前記送受信状態更新情報の送信タイミングに応じて送信し、
前記移動局において、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定することを特徴とするパケット通信方法。
【発明の詳細な説明】
【０００１】
【発明の属する技術分野】
本発明は移動通信システム、移動局、基地局及びそれらに用いるパケット通信方法に関し、特に移動通信システムにおけるＨＳＤＰＡ（Ｈｉｇｈ−ＳｐｅｅｄＤｏｗｎｌｉｎｋ　Ｐａｃｋｅｔ　Ａｃｃｅｓｓ）サービス等のパケット通信方法に関する。
【０００２】
【従来の技術】
従来、ＨＳＤＰＡサービスにおいては、図２６に示すように、移動局１０２と基地局１０１との間にはＤＰＣＨ（Ｄｅｄｉｃａｔｅｄ　Ｐｈｙｓｉｃａｌ　Ｃｈａｎｎｅｌ：個別チャネル）［ＤＬ（Ｄｏｗｎｌｉｎｋ）／ＵＬ（Ｕｐｌｉｎｋ）］が設定されている。図２６において、基地局１０１には基地局制御装置［例えば、ＲＮＣ（Ｒａｄｉｏ　Ｎｅｔｗｏｒｋ　Ｃｏｎｔｒｏｌｌｅｒ）］１０３が接続されている。
【０００３】
移動局１０２は、図２７に示すように、基地局１０１から指定された４ＣＨ（Ｃｈａｎｎｅｌ）のＨＳ−ＳＣＣＨ（Ｈｉｇｈ　Ｓｐｅｅｄ　Ｓｈａｒｅｄ　Ｃｏｎｔｒｏｌ　Ｃｈａｎｎｅｌ）を常に受信し、ＨＳ−ＳＣＣＨに含まれる移動局ＩＤ（Ｉｄｅｎｔｉｆｉｅｒ）の情報を検知し、自局の移動局ＩＤと一致しているかどうかを判定する。
【０００４】
ＨＳ−ＳＣＣＨで自局の移動局ＩＤを検知した場合、移動局１０２はそのＨＳ−ＳＣＣＨで送信されてくる制御情報を使って、そのＨＳ−ＳＣＣＨから所定の時間遅れで送信されるＨＳ−ＰＤＳＣＨ（Ｈｉｇｈ　Ｓｐｅｅｄ　Ｐｈｙｓｉｃａｌ　Ｄｏｗｎｌｉｎｋ　Ｓｈａｒｅｄ　Ｃｈａｎｎｅｌ）を受信する。
【０００５】
また、送るべきユーザデータや上位層の制御情報等で個別チャネルにおいて送信すべきデータ（以下、個別チャネルデータとする）が発生した場合、移動局１０２及び基地局１０１は直ちにＤＰＣＨ（ＵＬ／ＤＬ）を用いて送信する（例えば、非特許文献１参照）。
【０００６】
上述したＨＳＤＰＡは下り回線において高速パケット伝送を行う方式であり、ＨＳＤＰＡサービス受信可能状態では下り回線でＣＰＩＣＨ（Ｃｏｍｍｏｎ　Ｐｉｌｏｔ　Ｃｈａｎｎｅｌ）、ＨＳ−ＰＤＳＣＨ、ＨＳ−ＳＣＣＨ、ＤＰＣＨ（ＤＬ）を送信し、上り回線でＨＳ−ＤＰＣＣＨ（Ｈｉｇｈ　Ｓｐｅｅｄ　Ｄｅｄｉｃａｔｅｄ　Ｐｈｙｓｉｃａｌ　Ｃｏｎｔｒｏｌ　Ｃｈａｎｎｅｌ）、ＤＰＣＨ（ＵＬ）を送信する。
【０００７】
ＣＰＩＣＨは基地局１０１が管理するセル内の全ての移動局に対して送信されるパイロット信号であり、基地局１０１から所定の電力で送信されており、パスサーチ、伝送路の推定、ＤＬの受信品質の測定等に用いられる。ＨＳ−ＰＤＳＣＨはユーザデータをパケット伝送する共用チャネルであり、複数の移動局間で時間多重して使用される。
【０００８】
ＨＳ−ＳＣＣＨはＨＳ−ＰＤＳＣＨで送信されるパケットを受信するために必要な制御データを送信するための共用チャネルであり、複数の移動局間で時間多重して使用される。各移動局は常に１または複数のＨＳ−ＳＣＣＨを受信し、自局宛ての場合、ＨＳ−ＳＣＣＨの制御情報を用いてＨＳ−ＰＤＳＣＨのパケットを受信する。
【０００９】
ＤＰＣＨ（ＤＬ／ＵＬ）はＤＰＣＣＨ（Ｄｅｄｉｃａｔｅｄ　Ｐｈｙｓｉｃａｌ　Ｃｏｎｔｒｏｌ　Ｃｈａｎｎｅｌ：個別制御チャネル）と、ＤＰＤＣＨ（Ｄｅｄｉｃａｔｅｄ　Ｐｈｙｓｉｃａｌ　Ｄａｔａ　Ｃｈａｎｎｅｌ：個別データチャネル）とからなる。
【００１０】
ＤＰＣＣＨでは対となるチャネルの送信電力制御情報であるＴＰＣ（Ｔｒａｎｓｍｉｔ　Ｐｏｗｅｒ　Ｃｏｎｔｒｏｌ）ビットやＤＰＤＣＨの構成を示すＴＦＣＩ（Ｔｒａｎｓｐｏｒｔ　Ｆｏｒｍａｔ　Ｃｏｍｂｉｎａｔｉｏｎ　Ｉｎｄｉｃａｔｉｏｎ：送信フォーマット情報）等の物理レイヤの制御情報が送信される。ＤＰＤＣＨではユーザデータや上位層の制御信号等の個別チャネルデータが送信される。
【００１１】
ＨＳ−ＤＰＣＣＨはＣＰＩＣＨの品質測定結果から決定したＣＱＩ（Ｃｈａｎｎｅｌ　Ｑｕａｌｉｔｙ　Ｉｎｄｉｃａｔｉｏｎ：下り回線品質情報）、受信したパケットの通達確認情報であるＡＣＫ／ＮＡＣＫ（Ａｃｋｎｏｗｌｅｄｇｅｍｅｎｔ／Ｎｅｇａｔｉｖｅ　Ａｃｋｎｏｗｌｅｄｇｅｍｅｎｔｓ）を送信する個別チャネルである。
【００１２】
【非特許文献１】
３ＧＰＰ　ＴＲ（Ｔｅｃｈｎｉｃａｌ　Ｒｅｐｏｒｔ）２５．８５８，Ｖ５．０．０，２００２年３月
【００１３】
【発明が解決しようとする課題】
上記のＨＳＤＰＡサービスでは、パケットの待受け中でも、自局宛てかどうかを示す制御情報を送受信するチャネルを設定しておく必要があるため、パケット受信時間が短時間でも、移動局の電力が消費されてしまう。特に、ＨＳＤＰＡ等の高速パケット伝送方式はウェブ閲覧等、間欠的にデータのダウンロードを繰り返すようなサービスに多く用いられているので、パケットの受信時間が短かくても端末の電力消費が大きくなる。
【００１４】
移動局は基地局からパケットが送信されてくるタイミングがわからないので、パケット送信の有無にかかわらず、ＨＳ−ＳＣＣＨを受信し、自局宛ての制御情報か否かを判断する必要がある。したがって、パケットを受信していない間でも端末電力が消費される。
【００１５】
また、移動局では送信すべき個別チャネルデータが発生したら、その個別チャネルデータを直ちにＤＰＣＨを用いて送信しているため、パケット送信の有無にかかわらず、ＤＰＣＨを設定しておく必要があり、その間、端末電力が消費される。
【００１６】
一方、基地局及び移動局は上り個別チャネルデータを送信しない場合であっても、ＤＰＣＣＨ（ＵＬ／ＤＬ）の送受信を継続しており、移動局は個別チャネルデータを任意のタイミングで送信しているため、個別チャネルデータの送信の有無にかかわらず、ＤＰＣＨを設定しておく必要があり、その間、端末電力が消費される。
【００１７】
そこで、本発明の目的は上記の問題点を解消し、パケットの待ち受け状態での消費電力を削減しつつ、データ送信の要求があった場合に速やかにパケット送信を行うことができる移動通信システム、移動局、基地局及びそれらに用いるパケット通信方法を提供することにある。
【００１８】
【課題を解決するための手段】
本発明による移動通信システムは、移動局が、基地局からのパケットの送信を通知するための制御情報を受信することで、前記移動局において前記パケットの受信が可能となる移動通信システムであって、
前記移動局における前記パケットの受信が可能か否かの状態の更新を示す送受信状態更新情報を前記移動局に通知する手段を前記基地局に備え、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定している。
【００１９】
本発明による他の移動通信システムは、基地局から移動局に第１のチャネルにおいて第１のデータを送信する移動通信システムであって、
前記移動局における前記第１のデータの受信が可能か否かの状態の更新を示す送受信状態更新情報を前記移動局に通知する手段を前記基地局に備え、
前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定する手段を前記移動局に備え、
第２のチャネルで送信される第２のデータを前記送受信状態更新情報の送信タイミングに応じて送信する手段を前記基地局及び前記移動局に備えている。
【００２０】
本発明による移動局は、基地局からのパケットの送信を通知するための制御情報を受信することで、前記パケットの受信が可能となる移動局であって、
前記基地局から送信されかつ自局に対する前記パケットの受信が可能か否かの状態の更新を示す送受信状態更新情報に応じて自局における前記状態を更新する手段を備え、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定している。
【００２１】
本発明による他の移動局は、基地局から第１のチャネルにおいて第１のデータを受信する移動局であって、
基地局から送信されかつ前記第１のデータの受信が可能か否かの状態の更新を示す送受信状態更新情報を受信する手段と、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定する手段と、第２のチャネルで送信される第２のデータを前記送受信状態更新情報の送信タイミングに応じて送信する手段とを備えている。
【００２２】
本発明による基地局は、移動局においてパケットの受信を可能とするために前記パケットの送信を通知するための制御情報を前記移動局に送信する基地局であって、
前記移動局における前記パケットの受信が可能か否かの状態の更新を示す送受信状態更新情報を前記移動局に通知する手段を備え、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定している。
【００２３】
本発明による他の基地局は、移動局に第１のチャネルにおいて第１のデータを送信する基地局であって、
前記移動局における前記第１のデータの受信が可能か否かの状態の更新を示す送受信状態更新情報を前記移動局に通知する手段と、第２のチャネルで送信される第２のデータを前記送受信状態更新情報の送信タイミングに応じて送信する手段とを備え、
前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定している。
【００２４】
本発明によるパケット通信方法は、移動局が、基地局からのパケットの送信を通知するための制御情報を受信することで、前記移動局において前記パケットの受信が可能となる移動通信システムのパケット通信方法であって、
前記移動局における前記パケットの受信が可能か否かの状態の更新を示す送受信状態更新情報を前記移動局に通知するステップを前記基地局に備え、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定している。
【００２５】
本発明による他のパケット通信方法は、基地局から移動局に第１のチャネルにおいて第１のデータを送信する移動通信システムのパケット通信方法であって、
前記基地局において、前記移動局における前記第１のデータの受信が可能か否かの状態の更新を示す送受信状態更新情報を前記移動局に通知し、
前記基地局及び前記移動局において、第２のチャネルで送信される第２のデータを前記送受信状態更新情報の送信タイミングに応じて送信し、
前記移動局において、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定している。
【００２６】
すなわち、本発明の移動通信システムは、所定周期で移動局の状態制御［アクティブ（Ａｃｔｉｖｅ）／サスペンド（Ｓｕｓｐｅｎｄ）］を行う単位フレームである状態更新フレームを導入し、その間でパケットを送信する可能性がある移動局のみアクティブ状態とし、それ以外の移動局はサスペンド状態とすることによって、移動局の消費電力を削減する。各移動局はネットワークから指定されたタイミングで状態更新情報を受信し、各状態更新フレームにおける自局の状態を決定する。
【００２７】
ここで、アクティブは移動局が通常のＨＳＤＰＡ（Ｈｉｇｈ−Ｓｐｅｅｄ　Ｄｏｗｎｌｉｎｋ　Ｐａｃｋｅｔ　Ａｃｃｅｓｓ）を受信できるようにする、つまりパケット送信のために必要な制御情報を受信できるようにする状態であり、全ての回路への電源がＯＮとなっている状態である。また、サスペンドは移動局がＨＳＤＰＡを受信できないようにした状態であり、ＨＳＤＰＡの受信にかかわる回路への電源がＯＦＦとなる電力消費削減モードにいる状態である。
【００２８】
本発明の移動通信システムでは、パケットの受信や送るべきユーザデータや上位層の制御情報等で個別チャネルにおいて送信すべきデータ（以下、個別チャネルデータとする）の送受信以外の時に移動局がサスペンド状態となるので、移動局の電力消費を低減することが可能となる。特に、パケット通信ではデータがバースト的に送信され、データが送信されていない時間の割合が長いため、送受信を停止することによる移動局の電力消費を低減する効果が大きい。
【００２９】
本発明の移動通信システムでは、基地局がサスペンド状態において、ＤＰＣＨ（Ｄｅｄｉｃａｔｅｄ　Ｐｈｙｓｉｃａｌ　Ｃｈａｎｎｅｌ：個別チャネル）（ＤＬ：Ｄｏｗｎｌｉｎｋ）の送信またはＤＰＣＨ（ＵＬ：Ｕｐｌｉｎｋ）の受信の一方または両方を停止することによって、基地局がＤＰＣＨに割り当てる送信電力を減らし、ＨＳ−ＰＤＳＣＨ（Ｈｉｇｈ　Ｓｐｅｅｄ　Ｐｈｙｓｉｃａｌ　Ｄｏｗｎｌｉｎｋ　Ｓｈａｒｅｄ　Ｃｈａｎｎｅｌ）に割り当てる電力を増加させることが可能となるので、他の移動局に送信電力を割り当てることが可能となり、システムスループットを向上させることが可能となる。
【００３０】
ここで、ＤＰＣＨ（ＤＬ／ＵＬ）はＤＰＣＣＨ（Ｄｅｄｉｃａｔｅｄ　Ｐｈｙｓｉｃａｌ　Ｃｏｎｔｒｏｌ　Ｃｈａｎｎｅｌ：個別制御チャネル）と、ＤＰＤＣＨ（Ｄｅｄｉｃａｔｅｄ　Ｐｈｙｓｉｃａｌ　Ｄａｔａ　Ｃｈａｎｎｅｌ：個別データチャネル）とからなり、ＤＰＣＣＨでは対となるチャネルの送信電力制御情報であるＴＰＣ（Ｔｒａｎｓｍｉｔ　Ｐｏｗｅｒ　Ｃｏｎｔｒｏｌ）ビットやＤＰＤＣＨの構成を示すＴＦＣＩ（Ｔｒａｎｓｐｏｒｔ　Ｆｏｒｍａｔ　Ｃｏｍｂｉｎａｔｉｏｎ　Ｉｎｄｉｃａｔｉｏｎ：送信フォーマット情報）等の物理レイヤの制御情報が送信され、ＤＰＤＣＨでは個別チャネルデータが送信される。
【００３１】
本発明の移動通信システムでは、移動局が送受信状態更新情報を受信することができない場合、アクティブ状態とすることによって、基地局がアクティブ通知を送信したが、移動局がその受信を失敗した場合にも、パケットの送受信が可能となるので、ユーザスループットを向上させることが可能となる。また、無駄なパケット送信も避けられるため、システムスループットを向上させることも可能となる。
【００３２】
本発明の移動通信システムでは、基地局がアクティブ通知確認信号を受信することができなかった場合、パケットを送信しないようにすることによって、無駄なパケット送信を避けることが可能となり、システムスループットを向上させることが可能となる。
【００３３】
本発明の移動通信システムでは、移動局が状態更新フレームの直前でＣＱＩ（Ｃｈａｎｎｅｌ　Ｑｕａｌｉｔｙ　Ｉｎｄｉｃａｔｉｏｎ：下り回線品質情報）を送信し、基地局がＣＱＩによって推定されるパケット送信優先度が所定値以下の移動局にサスペンドを通知することによって、下り回線の受信品質が悪く、現在の状態更新フレーム中にパケットが送信される可能性の小さい移動局をサスペンド状態にすることが可能となるので、消費電力を低減することが可能となる。
【００３４】
本発明の移動通信システムでは、基地局がＣＱＩに付加されたＣＲＣ（Ｃｙｃｌｉｃ　Ｒｅｄｕｎｄａｎｃｙ　Ｃｈｅｃｋ：誤り検出符号）を判定し、誤りなく受信した移動局を優先的に選択して、アクティブ状態への変更を通知することによって、伝送モード（ＴＦＲＣ）の選択を適切に行うことが可能な移動局を優先的にアクティブとし、ＣＱＩの受信に失敗した移動局をサスペンドとすることで、サスペンド状態の時間の割合を大きくすることが可能となる。
【００３５】
また、アクティブ通知を送信可能な移動局の数が限られている場合には、伝送モードの選択を適切に行うことが可能な移動局を優先的にアクティブにすることが可能となるため、伝送効率を高めることが可能となる。
【００３６】
一方、本発明の移動通信システムでは、移動局が所定のタイミングで個別チャネルデータを送信しているため、基地局においてＤＰＣＣＨの送受信停止の可否が判定可能となり、個別チャネルデータの送受信がない場合にＤＰＣＣＨの送受信を停止することが可能となるので、移動局の電力消費を削減することが可能となる。
【００３７】
また、本発明の移動通信システムでは、個別チャネルデータの送信がない場合、ＤＰＣＨ（ＤＬ）の送信を停止することが可能となり、その電力をＨＳ−ＰＤＳＣＨに割り当てることが可能となるので、システムスループットを向上させることが可能となる。
【００３８】
【発明の実施の形態】
次に、本発明の実施の形態について図面を参照して説明する。図１は本発明の実施の形態による移動通信システムの構成を示すブロック図である。図１において、本発明の実施の形態による移動通信システムは基地局１と、移動局２と、基地局制御装置［例えば、ＲＮＣ（Ｒａｄｉｏ　Ｎｅｔｗｏｒｋ　Ｃｏｎｔｒｏｌｌｅｒ）］３とから構成されている。
【００３９】
移動局２は基地局１から指定された４ＣＨ（Ｃｈａｎｎｅｌ）のＨＳ−ＳＣＣＨ（Ｈｉｇｈ　Ｓｐｅｅｄ　Ｓｈａｒｅｄ　Ｃｏｎｔｒｏｌ　Ｃｈａｎｎｅｌ）を常に受信し、ＨＳ−ＳＣＣＨに含まれる移動局ＩＤ（Ｉｄｅｎｔｉｆｉｅｒ）の情報を検知し、自局の移動局ＩＤと一致しているかどうかを判定する。
【００４０】
ＨＳ−ＳＣＣＨで自局の移動局ＩＤを検知した場合、移動局２はそのＨＳ−ＳＣＣＨで送信されてくる制御情報を使って、そのＨＳ−ＳＣＣＨから所定の時間遅れで送信されるＨＳ−ＰＤＳＣＨ（Ｈｉｇｈ　Ｓｐｅｅｄ　Ｐｈｙｓｉｃａｌ
Ｄｏｗｎｌｉｎｋ　Ｓｈａｒｅｄ　Ｃｈａｎｎｅｌ）を受信する。
【００４１】
本実施の形態では基地局１から移動局２に、ＨＳ−ＳＣＣＨを用いて、上記の制御情報のみならず、予め設定された状態更新フレーム（例えば、１００ｓｅｃを周期とする移動局２の状態制御を行う単位フレーム）における状態［アクティブ（Ａｃｔｉｖｅ）／サスペンド（Ｓｕｓｐｅｎｄ）］を指示するための送受信状態更新情報（移動局２の現在の状態更新フレームでの状態を通知する信号）（以下、状態更新情報とする）をも通知している。
【００４２】
ここで、アクティブは移動局２が通常のＨＳＤＰＡ（Ｈｉｇｈ−Ｓｐｅｅｄ　Ｄｏｗｎｌｉｎｋ　Ｐａｃｋｅｔ　Ａｃｃｅｓｓ）を受信できるようにする、つまりパケット送信のために必要な制御情報を受信できるようにする状態であり、全ての回路への電源がＯＮとなっている状態である。また、サスペンドは移動局２がＨＳＤＰＡを受信できないようにした状態であり、ＨＳＤＰＡの受信にかかわる回路への電源がＯＦＦとなる電力消費削減モードにいる状態である。
【００４３】
したがって、移動局２では基地局１から予め設定された周期（所定間隔）で送られてくる状態更新情報を基に、その状態更新フレームでの状態（モード）が設定されることとなる。よって、移動局２ではパケットの受信や送るべきユーザデータや上位層の制御情報等で個別チャネルにおいて送信すべきデータ（以下、個別チャネルデータとする）［Ｌ（Ｌａｙｅｒ）１より上のレイヤの制御情報（アプリケーション、チャネル変更、ハンドオーバ等の各種制御情報）］の送受信以外の時にサスペンド状態となることで、パケットの待ち受け状態での消費電力を削減しつつ、データ送信の要求があった場合に速やかにパケット送信を行うことができる。
【００４４】
図２は本発明の第１の実施例による基地局の構成を示すブロック図である。図２において、基地局１はアンテナ１１と、送受信共用器（ＤＵＰ：ｄｕｐｌｅｘｅｒ）１２と、受信部１３と、ユーザデータ分離部１４と、パケット送信制御部１５と、状態更新決定部１６と、バッファ１７と、信号合成部１８と、送信部１９とを含んで構成されている。尚、基地局１の呼制御部分、音声入出力部分、表示部分については、公知の技術が適用可能であるので、それらの構成及び動作についての説明は省略する。
【００４５】
受信部１３はアンテナ１１及び送受信共用器１２を介して受信した信号［ＤＰＣＨ（ＵＬ）等］をユーザデータ分離部１４に送出する。ユーザデータ分離部１４は受信部１３からの受信信号をユーザ情報（音声信号、画像信号等）と制御情報［ＣＱＩ（Ｃｈａｎｎｅｌ　Ｑｕａｌｉｔｙ　Ｉｎｄｉｃａｔｉｏｎ：下り回線品質情報）等］とに分離し、ユーザ情報を上述した基地局１の呼制御部分、音声出力部分、表示部分に送出し、制御情報をパケット送信制御部１５に送出する。
【００４６】
パケット送信制御部１５はユーザデータ分離部１４からのＣＱＩと状態更新決定部１６からのアクティブ移動局情報とを基に、バッファ１７に一時蓄積されたパケットの送信制御を行う。状態更新決定部１６はバッファ１７に一時蓄積されたパケットの有無情報を基に移動局２をアクティブ状態とするか、サスペンド状態とするかを決定し、その決定結果に応じてアクティブ移動局情報をパケット送信制御部１５に、状態更新情報信号（移動局２への状態更新情報）を信号合成部１８に、個別チャネル送受信ＯＮ／ＯＦＦ信号を受信部１３及び送信部１９にそれぞれ送出する。
【００４７】
バッファ１７はユーザ情報（パケット）を一時蓄積し、信号合成部１８はバッファ１７に一時蓄積されたユーザ情報（パケット）、状態更新決定部１６からの状態更新情報信号等を合成し、ＨＳ−ＳＣＣＨ，ＤＰＣＨ（ＤｅｄｉｃａｔｅｄＰｈｙｓｉｃａｌ　Ｃｈａｎｎｅｌ：個別チャネル）（ＤＬ：Ｄｏｗｎｌｉｎｋ），ＨＳ−ＰＤＳＣＨとして送信部１９及び送受信共用器１２を介してアンテナ１１から発信する。
【００４８】
図３は本発明の第１の実施例による移動局の構成を示すブロック図である。図３において、移動局２はアンテナ２１と、送受信共用器（ＤＵＰ）２２と、受信部２３と、ユーザデータ分離部２４と、受信品質測定部２５と、パケット受信判定部２６と、パケット制御信号生成部２７と、状態更新決定部２８と、信号合成部２９と、送信部３０とを含んで構成されている。尚、移動局２の呼制御部分、音声入出力部分、表示部分については、公知の技術が適用可能であるので、それらの構成及び動作についての説明は省略する。
【００４９】
受信部２３はアンテナ２１及び送受信共用器２２を介して受信した信号［ＣＰＩＣＨ（Ｃｏｍｍｏｎ　Ｐｉｌｏｔ　Ｃｈａｎｎｅｌ：共通パイロット信号），ＤＰＣＨ（ＤＬ），ＨＳ−ＰＤＳＣＨ］をユーザデータ分離部２４に送出する。ユーザデータ分離部２４は受信部２３からの受信信号をユーザ情報（音声信号、画像信号等）と制御情報とに分離し、ユーザ情報を上述した移動局２の呼制御部分、音声出力部分、表示部分にそれぞれ送出し、制御情報をパケット受信判定部２６及び状態更新決定部２８とにそれぞれ送出する。
【００５０】
受信品質測定部２５は受信部２３からのＣＰＩＣＨの受信品質［Ｅｃ／Ｉｏ（チップ当たりのエネルギ／単位周波数当たりの干渉波電力）］を測定し、その測定結果をパケット制御信号生成部２７に出力する。パケット受信判定部２６はユーザデータ分離部２４からの制御情報を基に、ＨＳ−ＳＣＣＨの制御情報（パケットの送信タイミングを通知するための信号）の有無、あるいは基地局１からのパケットを正常に受信したか否かを判定し、判定結果をパケット制御信号生成部２７に出力する。
【００５１】
パケット制御信号生成部２７はパケット受信判定部２６からの判定結果を基に、受信したパケットの通達確認情報であるＡＣＫ／ＮＡＣＫ（Ａｃｋｎｏｗｌｅｄｇｅｍｅｎｔ／Ｎｅｇａｔｉｖｅ　Ａｃｋｎｏｗｌｅｄｇｅｍｅｎｔｓ）と、受信品質測定部２５からの測定結果を基に、ＣＱＩとを生成して信号合成部２９に送出する。
【００５２】
状態更新決定部２８はユーザデータ分離部２４からの制御情報と、信号合成部２９に入力されるユーザ情報内の個別チャネルデータの有無情報とを基に、状態更新フレームにおける状態（アクティブ／サスペンド）を決定し、その状態を受信部２３及び送信部３０に伝達する。
【００５３】
信号合成部２９はパケット制御信号生成部２７からの情報（ＡＣＫ／ＮＡＣＫ，ＣＱＩ）、移動局２の呼制御部分や音声入力部分等の外部からの入力信号等を合成し、ＤＰＣＨ（ＵＬ），ＨＳ−ＤＰＣＣＨとして送信部３０及び送受信共用器２２を介してアンテナ２１から発信する。
【００５４】
図４は図２に示す基地局１と図３に示す移動局２との間で送受信される信号の流れを示す図であり、図５は本発明の第１の実施例による移動通信システムの動作を示すシーケンスチャートであり、図６及び図７は図２に示す基地局１の動作を示すフローチャートであり、図８及び図９は図３に示す移動局２の動作を示すフローチャートである。これら図１〜図９を参照して本発明の第１の実施例による移動通信システムの動作について説明する。
【００５５】
本発明の第１の実施例の前提条件は、アクティブにする移動局２の条件として「基地局１に送信すべきパケットが到着している」ことであり、アクティブ通知の受信確認はないものとする。また、移動局２は状態更新情報を正しく受信できなかった場合、状態更新情報の内容にかかわらず、アクティブ状態にするものとする。さらに、この場合、サスペンドと指定した時の個別チャネルデータ［図４中ではＨＬＳ（Ｈｉｇｈｅｒ　Ｌａｙｅｒ　Ｓｉｇｎａｌｉｎｇ）と表示］（ＵＬ）の有無の確認方法としては、「ＤＰＤＣＨとＤＰＣＣＨ（ＵＬ）との電力比を測定して判断する」方法、または「ＴＦＣＩ（Ｔｒａｎｓｐｏｒｔ　Ｆｏｒｍａｔ　Ｃｏｍｂｉｎａｔｉｏｎ　Ｉｎｄｉｃａｔｉｏｎ：送信フォーマット情報）のあるフォーマットを利用し、ＴＦＣＩの内容で通知する」方法があるが、本実施例ではその方法について特に言及しない。ＴＦＣＩはＤＰＤＣＨの構成を示している。
【００５６】
基地局１は所定の電力でＣＰＩＣＨを、自局が管理するセル内の移動局全てに対して送信している（図６ステップＳ１）。基地局１は状態更新フレームの開始と同時に（図６ステップＳ２）、ＤＰＣＨ（ＤＬ）の送信及びＤＰＣＨ（ＵＬ）の受信を開始する（図６ステップＳ３）（図５のａ１参照）。
【００５７】
移動局２は所定間隔の状態更新フレームの開始と同時に（図８ステップＳ２１）、ＣＰＩＣＨの受信と、ＤＰＣＨ（ＤＬ）の受信及びＤＰＣＨ（ＵＬ）の送信と、ＨＳ−ＳＣＣＨの受信とを開始する（図８ステップＳ２２）（図５のａ１参照）。
【００５８】
基地局１はパケットがバッファ１７に到着しているか（図６ステップＳ４）、あるいは個別チャネルデータ（ＤＬ）があるかの少なくとも一方の条件を満たす場合（図６ステップＳ５）、状態更新フレームの先頭で、ＨＳ−ＳＣＣＨにおいて状態更新情報（アクティブ）を送信する（図６ステップＳ６）（図５のａ２参照）。
【００５９】
移動局２は所定のタイミングで送信される状態更新情報を受信し（図８ステップＳ２３）、状態更新情報でアクティブと指定されているか（図８ステップＳ２４）、あるいは個別チャネルデータ（ＵＬ）があるかの少なくとも一方の条件を満たす場合（図８ステップＳ２５）、この状態更新フレームにおける自局の状態をアクティブと決定する（図８ステップＳ２６）。
【００６０】
個別チャネルデータがある場合には、移動局２及び基地局１において、ともに次の状態更新フレーム開始と同時にＤＰＤＣＨにおいて送信する。言い換えると、基地局１及び移動局２は前段の状態更新フレームにおいて個別チャネルデータ（ＤＬ／ＵＬ）がある場合（図６ステップＳ７、図８ステップＳ２７）、個別チャネルデータ（ＤＬ／ＵＬ）を状態更新フレーム開始と同時にＤＰＤＣＨにおいて送信する（図６ステップＳ８、図８ステップＳ２８）（図５のａ３参照）。
【００６１】
この後、基地局１がアクティブと指示し、移動局２がアクティブと決定した場合、移動局２は所定の周期でＣＰＩＣＨを受信し、ＤＬ受信品質情報であるＣＱＩをＨＳ−ＤＰＣＣＨにおいて所定の周期で送信する（図８ステップＳ２９）（図５のａ４参照）。また、移動局２はＨＳ−ＳＣＣＨの受信、ＤＰＣＨ（ＤＬ／ＵＬ）の送受信を継続し、パケットを受信できる状態を維持する。
【００６２】
基地局１はアクティブと通信した移動局２のＣＱＩ情報を基にスケジューリング・送信モードの決定を行う（図６ステップＳ９）。基地局１はパケットを送信する移動局２に対してＨＳ−ＳＣＣＨで制御情報を送信し（図６ステップＳ１０）（図５のａ５参照）、所定時間後にＨＳ−ＰＤＳＣＨでパケットを送信する（図６ステップＳ１１）（図５のａ６参照）。
【００６３】
移動局２はＨＳ−ＳＣＣＨを受信し（図８ステップＳ３０）、自局に宛てた制御情報を受信した場合（図８ステップＳ３１）、所定時間後にＨＳ−ＰＤＳＣＨで送信されてくるパケットを受信する（図８ステップＳ３２）。その後に、移動局２は受信したパケットが正しく受信されたかどうかの送達確認信号をＨＳ−ＤＰＣＣＨにおいて所定タイミングで送信する（図８ステップＳ３３）（図５のａ７参照）。上記のパケット送受信処理は最後のパケットが送受信されるまで繰り返し行われる（図５のａ８〜ａ１０参照）。
【００６４】
次に、基地局１がサスペンドと指示し、移動局２がサスペンドと決定した場合、つまり基地局１はパケットがバッファ１７に到着せず（図６ステップＳ４）、個別チャネルデータ（ＤＬ）がない場合（図６ステップＳ５）、状態更新フレームの先頭で、ＨＳ−ＳＣＣＨにおいて状態更新情報（サスペンド）を送信する（図７ステップＳ１２）（図５のａ１１参照）。
【００６５】
続いて、基地局１はＤＰＣＨ（ＵＬ）を状態更新フレームの先頭から所定時間Ｔ１後まで受信し（図７ステップＳ１３）、ＤＰＤＣＨが送信されていないことを確認した後に（図７ステップＳ１４）（図５のａ１２参照）、ＤＰＣＨ（ＤＬ）の送信及びＤＰＣＨ（ＵＬ）の受信を停止する（図７ステップＳ１６）（図５のａ１３参照）。基地局１はこの状態更新フレーム内において、その移動局２に対するパケット送信をスケジューリングしない。
【００６６】
移動局２は所定のタイミングで送信される状態更新情報を受信し（図８ステップＳ２３）、状態更新情報でアクティブと指定されず（図８ステップＳ２４）、個別チャネルデータ（ＵＬ）がない場合（図８ステップＳ２５）、この状態更新フレームにおける自局の状態をサスペンドと決定する（図９ステップＳ３４）。その後、移動局２は状態更新フレームの先頭から所定時間Ｔ１後にＣＰＩＣＨの受信と、ＤＰＣＨ（ＤＬ）の受信及びＤＰＣＨ（ＵＬ）の送信と、ＨＳ−ＳＣＣＨの受信とを停止する（図９ステップＳ３５）。
【００６７】
これに対し、基地局１がサスペンドと指示し、移動局２がアクティブと決定した場合、つまり基地局１はパケットがバッファ１７に到着せず（図６ステップＳ４）、個別チャネルデータ（ＤＬ）がない場合（図６ステップＳ５）、状態更新フレームの先頭で、ＨＳ−ＳＣＣＨにおいて状態更新情報（サスペンド）を送信する（図７ステップＳ１２）（図５のａ１４参照）。
【００６８】
続いて、基地局１はＤＰＣＨ（ＵＬ）を状態更新フレームの先頭から所定時間Ｔ１後まで受信し（図７ステップＳ１３）、ＤＰＤＣＨ（ＵＬ）が送信されていることを確認し（図７ステップＳ１４）（図５のａ１７参照）、ＤＰＣＨ（ＤＬ）の送信及びＤＰＣＨ（ＵＬ）の受信を継続する（図７ステップＳ１５）。
【００６９】
移動局２では前段の状態更新フレームにおいて個別チャネルデータ（ＤＬ／ＵＬ）があるので（図８ステップＳ２７）、個別チャネルデータ（ＵＬ）を状態更新フレーム開始と同時にＤＰＤＣＨにおいて送信する（図８ステップＳ２８）（図５のａ１６参照）。
【００７０】
この後、移動局２は状態更新フレームの先頭から所定時間Ｔ１後にＨＳ−ＳＣＣＨの受信と、ＨＳ−ＤＰＣＣＨの送信とを停止する。基地局１及び移動局２はともに、個別チャネルデータ（ＤＬ／ＵＬ）の送信が終了した後も、次の状態更新フレームまでＤＰＣＨ（ＤＬ／ＵＬ）の送受信を継続する。上述した各信号の流れは図４に示す通りである。
【００７１】
以上が基地局１及び移動局２の動作であるが、基地局１と移動局２との間の伝搬路で通信異常が発生するという例外もある。つまり、基地局１がアクティブと指示したにもかかわらず、移動局２での状態更新情報が正しく受信されない場合がある。この場合、基地局１はアクティブと通信した移動局２のＣＱＩ情報を基にスケジューリング・送信モードの決定を行う。続いて、基地局１はパケットを送信する移動局２に対してＨＳ−ＳＣＣＨで制御情報を送信し、所定時間後にＨＳ−ＰＤＳＣＨでパケットを送信する。
【００７２】
これに対し、移動局２では状態更新情報の受信にエラーが発生しているため、この状態更新フレームにおける自局の状態を状態更新情報の内容にかかわらず、アクティブと決定し、ＨＳ−ＳＣＣＨの受信、ＤＰＣＨ（ＤＬ／ＵＬ）の送受信、ＨＳ−ＤＰＣＣＨの送信を継続し、パケットヲ受信できる状態を維持する。
【００７３】
このように、本実施例ではパケットの受信や個別チャネルデータの送受信以外の時に移動局２がサスペンド状態となるので、移動局２の電力消費を低減することができる。特に、パケット通信ではデータがバースト的に送信され、データが送信されていない時間の割合が長いため、送受信を停止することによる移動局２の電力消費を低減する効果が大きい。
【００７４】
また、本実施例では、基地局１がサスペンド状態において、ＤＰＣＨ（ＤＬ）の送信またはＤＰＣＨ（ＵＬ）の受信の一方または両方を停止することによって、基地局がＤＰＣＨに割り当てる送信電力を減らし、ＨＳ−ＰＤＳＣＨに割り当てる電力を増加させることができるので、他の移動局に送信電力を割り当てることもでき、システムスループットを向上させることができる。
【００７５】
本実施例では、移動局２が送受信状態更新情報を正しく受信することができない場合、状態更新情報の内容にかかわらず、アクティブ状態とすることによって、基地局１がアクティブ通知を送信したが、移動局２がその受信を失敗した場合にも、パケットの送受信が可能となるので、ユーザスループットを向上させることができる。また、この場合には無駄なパケット送信も避けられるため、システムスループットを向上させることができる。
【００７６】
図１０は本発明の第２の実施例による基地局の構成を示すブロック図である。図１０において、本発明の第２の実施例による基地局４ではユーザデータ分離部１４からＣＱＩを状態更新決定部１６に送出するようにした以外は図２に示す本発明の第１の実施例による基地局１と同様の構成となっており、同一構成要素には同一符号を用いている。また、ユーザデータ分離部１４及び状態更新決定部１６以外の他の同一構成要素の動作は本発明の第１の実施例と同様である。
【００７７】
状態更新決定部１６は事前に移動局２から送信されてきたＣＱＩ情報をも利用し、そのＣＱＩ情報とバッファ１７に一時蓄積されたパケットの有無情報とを基に移動局２をアクティブ状態とするか、サスペンド状態とするかを決定し、その決定結果に応じてアクティブ移動局情報をパケット送信制御部１５に、状態更新情報信号（移動局２への状態更新情報）を信号合成部１８に、個別チャネル送受信ＯＮ／ＯＦＦ信号を受信部１３及び送信部１９にそれぞれ送出する。
【００７８】
これによって、本発明の第２の実施例では、移動局２が状態更新フレームの直前でＣＱＩを送信するようにし、基地局１がＣＱＩによって推定されるパケット送信優先度が所定値以下の移動局２にサスペンドを通知することができる。よって、本実施例では上記の本発明の第１の実施例の効果のほかに、下り回線の受信品質が悪く、現在の状態更新フレーム中にパケットが送信される可能性の小さい移動局２をサスペンド状態にすることができるので、移動局２の消費電力を低減することができる。
【００７９】
図１１は本発明の第３の実施例による基地局の構成を示すブロック図である。図１１において、本発明の第３の実施例による基地局５ではＣＱＩ誤り検出部５１を設け、ユーザデータ分離部１４からＣＱＩをＣＱＩ誤り検出部５１に送出するようにした以外は図２に示す本発明の第１の実施例による基地局１と同様の構成となっており、同一構成要素には同一符号を用いている。また、ユーザデータ分離部１４及び状態更新決定部１６以外の他の同一構成要素の動作は本発明の第１の実施例と同様である。
【００８０】
ＣＱＩ誤り検出部５１はユーザデータ分離部１４からのＣＱＩの誤り検出を行い、その検出結果を状態更新決定部１６に送出する。状態更新決定部１６はＣＱＩ誤り検出部５１によるＣＱＩの誤り検出の結果をも利用し、そのＣＱＩの誤り検出結果とバッファ１７に一時蓄積されたパケットの有無情報とを基に移動局２をアクティブ状態とするか、サスペンド状態とするかを決定し、その決定結果に応じてアクティブ移動局情報をパケット送信制御部１５に、状態更新情報信号（移動局２への状態更新情報）を信号合成部１８に、個別チャネル送受信ＯＮ／ＯＦＦ信号を受信部１３及び送信部１９にそれぞれ送出する。
【００８１】
これによって、本発明の第３の実施例では、基地局１がＣＱＩに付加されたＣＲＣ（Ｃｙｃｌｉｃ　Ｒｅｄｕｎｄａｎｃｙ　Ｃｈｅｃｋ：誤り検出符号）を判定し、誤りなく受信した移動局２を優先的に選択して、アクティブ状態への変更を通知することができる。よって、本実施例では上記の本発明の第１の実施例の効果のほかに、伝送モード（ＴＦＲＣ）の選択を適切に行うことが可能な移動局２を優先的にアクティブとし、ＣＱＩの受信に失敗した移動局２をサスペンドとすることで、移動局２におけるサスペンド状態の時間の割合を大きくすることができる。
【００８２】
また、本実施例では、アクティブ通知を送信可能な移動局の数が限られている場合、伝送モードの選択を適切に行うことが可能な移動局２を優先的にアクティブにすることができるため、伝送効率を高めることができる。
【００８３】
ここで、ＤＰＣＣＨ（ＤＬ／ＵＬ）におけるＴＰＣ（Ｔｒａｎｓｍｉｔ　Ｐｏｗｅｒ　Ｃｏｎｔｒｏｌ）ビットによって互いのチャネルの送信電力の制御を行う場合、ＤＰＣＣＨ（ＤＬ／ＵＬ）は対で送受信されなければならないが、基地局は移動局が個別チャネルデータを送信するタイミング情報を持たないため、ＤＰＣＣＨ（ＤＬ）の送信を止めることができない。したがって、移動局ではＤＰＣＨの送受信を停止することができず、端末電力を消費してしまう。ここで、ＴＰＣビットはチャネルの送信電力制御情報である。
【００８４】
本発明の第４の実施例では、上記の問題を解消するため、移動局が所定のタイミングで個別チャネルデータを送信するようにし、基地局においてＤＰＣＣＨの送受信停止の可否を判定できるようにしている。これら移動局及び基地局において個別チャネルデータの送受信がない場合には、ＤＰＣＣＨの送受信を停止することも可能となる。
【００８５】
図１２は本発明の第４の実施例による基地局の構成を示すブロック図である。図１２において、基地局４はアンテナ１１と、送受信共用器（ＤＵＰ）１２と、受信部１３と、ユーザデータ分離部１４と、ＵＬデータ有無判定部６１と、送受信モード制御部６２と、信号合成部１８と、送信部１９とを含んで構成されている。尚、基地局６の呼制御部分、音声入出力部分、表示部分については、公知の技術が適用可能であるので、それらの構成及び動作についての説明は省略する。また、図１２においては本発明の第４の実施例による基地局６の特徴的な部分のみを記述している。
【００８６】
受信部１３はアンテナ１１及び送受信共用器１２を介して受信した信号［ＤＰＣＨ（ＵＬ）等］をユーザデータ分離部１４に送出する。ユーザデータ分離部１４は受信部１３からの受信信号をユーザ情報（音声信号、画像信号等）と制御情報［ＣＱＩ（Ｃｈａｎｎｅｌ　Ｑｕａｌｉｔｙ　Ｉｎｄｉｃａｔｉｏｎ：ＤＬ受信品質情報）等］とに分離し、ユーザ情報を上述した基地局１の呼制御部分、音声出力部分、表示部分に送出し、制御情報をＵＬデータ有無判定部６１に送出する。
【００８７】
ＵＬデータ有無判定部６１はユーザデータ分離部１４からの制御情報を基に、移動局からのＵＬデータがあるか否かを判定し、その判定結果を送受信モード制御部６２に送出する。送受信モード制御部６２はＵＬデータ有無判定部６１からの判定結果に基づいて移動局との間の送受信モード［アクティブ／サスペンド］を決定し、その決定結果を受信部１３及び送信部１９にそれぞれ送出する。
【００８８】
ここで、アクティブは移動局が通常のＨＳＤＰＡ受信可能モードにいる状態を示し、サスペンドは移動局がＨＳＤＰＡ受信不可能な電力消費削減モードにいる状態を示している。
【００８９】
信号合成部１８はユーザ情報（パケット）と状態更新情報信号等とを合成し、ＨＳ−ＳＣＣＨ，ＤＰＣＨ（ＤＬ），ＨＳ−ＰＤＳＣＨとして送信部１９及び送受信共用器１２を介してアンテナ１１から発信する。
【００９０】
図１３は本発明の第４の実施例による移動局の構成を示すブロック図である。図１３において、移動局７はアンテナ２１と、送受信共用器（ＤＵＰ）２２と、受信部２３と、ユーザデータ分離部２４と、送受信モード制御部７１と、信号合成部２９と、送信部３０とを含んで構成されている。尚、移動局６の呼制御部分、音声入出力部分、表示部分については、公知の技術が適用可能であるので、それらの構成及び動作についての説明は省略する。また、図１３においては本発明の第６の実施例による移動局７の特徴的な部分のみを記述している。
【００９１】
受信部２３はアンテナ２１及び送受信共用器２２を介して受信した信号［ＣＰＩＣＨ，ＤＰＣＨ（ＤＬ），ＨＳ−ＰＤＳＣＨ］をユーザデータ分離部２４に送出する。ユーザデータ分離部２４は受信部２３からの受信信号をユーザ情報（音声信号、画像信号等）と制御情報とに分離し、ユーザ情報を上述した移動局７の呼制御部分、音声出力部分、表示部分にそれぞれ送出する。
【００９２】
送受信モード制御部７１はユーザ情報内の個別チャネルデータの有無情報に基づいて移動局との間の送受信モード［アクティブ／サスペンド］を決定し、その決定結果を受信部１３及び送信部１９にそれぞれ送出する。信号合成部２９は移動局７の呼制御部分や音声入力部分等の外部からの入力信号等を合成し、ＤＰＣＨ（ＵＬ），ＨＳ−ＤＰＣＣＨとして送信部３０及び送受信共用器２２を介してアンテナ２１から発信する。
【００９３】
図１４は図１２に示す基地局６と図１３に示す移動局７との間で送受信される信号の流れを示す図であり、図１５は本発明の第４の実施例による移動通信システムの動作を示すシーケンスチャートであり、図１６及び図１７は図１２に示す基地局６の動作を示すフローチャートであり、図１８〜図２１は図１３に示す移動局７の動作を示すフローチャートである。これら図１２〜図２１を参照して本発明の第４の実施例による移動通信システムの動作について説明する。
【００９４】
本発明の第４の実施例の前提条件は、アクティブにする移動局７の条件として「基地局に送信すべきパケットが到着している」こと、「ＣＱＩから判定した送信優先度が所定の閾値よりも高い」ことである。この場合、サスペンドと指定した時の個別チャネルデータ（図１４中ではＨＬＳで表示）（ＵＬ）の有無の確認方法としては、「ＴＦＣＩのあるフォーマットを利用し、ＴＦＣＩの内容で確認する」方法、個別チャネルデータ（ＤＬ）のみ送信する場合として「ＴＦＣＩのあるフォーマットを利用し、ＴＦＣＩの内容で通知する」方法を用いるものとする。また、本実施例ではアクティブ通知の受信確認として「ＡＣＫか、ＮＡＣＫか、ＣＱＩの受信によってアクティブであることを確認」している。
【００９５】
基地局６は所定の電力でＣＰＩＣＨを、自局が管理するセル内の移動局全てに対して送信している（図１６ステップＳ４１）。移動局７は状態更新フレームの先頭から所定時間Ｔ２前に、ＣＰＩＣＨの受信と、ＤＰＣＨ（ＤＬ）の受信及びＤＰＣＨ（ＵＬ）の送信とを開始する（図１８ステップＳ６１）（図１５のｂ１参照）。
【００９６】
移動局７はＣＰＩＣＨの受信品質測定からＣＱＩ情報を生成し（図１８ステップＳ６２）、状態更新フレーム開始直前にＨＳ−ＤＰＣＣＨにおいて送信する（図１８ステップＳ６３）（図１５のｂ２参照）。移動局７は状態更新フレーム開始と同時に、ＨＳ−ＳＣＣＨの受信を開始する（図１８ステップＳ６４）（図１５のｂ３参照）。
【００９７】
基地局６は状態更新フレームの先頭から所定時間Ｔ２前に、ＤＰＣＨ（ＤＬ）の送信及びＤＰＣＨ（ＵＬ）の受信を開始すると同時に（図１６ステップＳ４４）（図１５のｂ１参照）、ＨＳ−ＳＣＣＨにおいて状態更新情報を送信する（図１６ステップＳ４５）（図１５のｂ４参照）。
【００９８】
基地局６はバッファ（図示せず）にパケットのある移動局７の中でＣＱＩ情報から判定した送信優先度の高い移動局をアクティブとするように決定し（図１６ステップＳ４２，Ｓ４３）、その決定内容を状態更新情報として送信する（図１６ステップＳ４５）（図１５のｂ４参照）。
【００９９】
移動局７は所定のタイミングで送信される状態更新情報を受信し（図１８ステップＳ６５）（図１５のｂ４参照）、状態更新情報でアクティブと指定されているか（図１８ステップＳ６６）、あるいは個別チャネルデータ（ＵＬ）があるかの少なくとも一方の条件を満たす場合（図１８ステップＳ６７）、この状態更新フレームにおける自局の状態をアクティブと決定する（図１８ステップＳ６８）。
【０１００】
個別チャネルデータがある場合には、移動局７及び基地局６において、ともに次の状態更新フレーム開始と同時にＤＰＤＣＨにおいて送信する。言い換えると、基地局６及び移動局７は前段の状態更新フレームにおいて個別チャネルデータ（ＤＬ／ＵＬ）がある場合（図１６ステップＳ４６、図１８ステップＳ６９）、個別チャネルデータ（ＤＬ／ＵＬ）を状態更新フレーム開始と同時にＤＰＤＣＨにおいて送信する（図１６ステップＳ４７、図１８ステップＳ７０）（図１５のｂ５参照）。
【０１０１】
この後、基地局６がアクティブと指示し、移動局７がアクティブと決定した場合、移動局７は所定のタイミングでアクティブ通知受信確認信号を所定の制御チャネルで送信し（図１９ステップＳ７１）（図１５のｂ６参照）、基地局６にアクティブになっていることを通知する。
【０１０２】
移動局７は所定の周期でＣＰＩＣＨを受信し（図１９ステップＳ７２）、ＤＬ受信品質情報であるＣＱＩをＨＳ−ＤＰＣＣＨにおいて所定の周期で送信する（図１９ステップＳ７３）。
【０１０３】
基地局６は所定のタイミングでアクティブ通知受信確認信号をモニタし（図１６ステップＳ４８）、アクティブ通知受信確認信号を受信した移動局７に対してそれらの移動局７のＣＱＩ情報を基にスケジューリング・送信モードの決定を行う（図１６ステップＳ４９，Ｓ５０）。
【０１０４】
基地局６はパケットを送信する移動局７に対してＨＳ−ＳＣＣＨで制御情報を送信し（図１６ステップＳ５１）（図１５のｂ７参照）、所定時間後にＨＳ−ＰＤＳＣＨでパケットを送信する（図１６ステップＳ５２）（図１５のｂ８参照）。
【０１０５】
移動局７はＨＳ−ＳＣＣＨを受信し（図１９ステップＳ７４）、自局に宛てた制御情報を受信した場合（図１９ステップＳ７５）（図１５のｂ７参照）、所定時間後にＨＳ−ＰＤＳＣＨで送信されてくるパケットを受信する（図１９ステップＳ７６）（図１５のｂ８参照）。
【０１０６】
移動局は受信したパケットが正しく受信されたかどうかの送達確認信号をＨＳ−ＤＰＣＣＨにおいて所定タイミングで送信する（図１９ステップＳ７７〜Ｓ７９）（図１５のｂ９参照）。上記のパケット送受信処理は最後のパケットが送受信されるまで繰り返し行われる（図１５のｂ１０〜ｂ１２参照）。
【０１０７】
次に、基地局６がサスペンドと指示し、移動局７がサスペンドと決定した場合、つまり基地局１はアクティブ通知受信確認信号を受信せず、移動局７がサスペンドと判定すると（図１６ステップＳ４９）、ＤＰＣＨ（ＵＬ）を状態更新フレームの先頭から所定時間Ｔ１後まで受信し（図１７ステップＳ５３）、ＤＰＣＨに含まれるＴＦＣＩによってＤＰＤＣＨが送信されないことを確認した後に（図１７ステップＳ５４，Ｓ５５）、ＤＰＣＨ（ＤＬ）の送信及びＤＰＣＨ（ＵＬ）の受信を停止する（図１７ステップＳ５６）（図１５のｂ１３，ｂ１４，ｂ１６参照）。基地局６はその状態更新フレーム内において、この移動局７に対するパケット送信をスケジューリングしない。
【０１０８】
移動局７は状態更新情報でアクティブと指定されず（図１８ステップＳ６６）、個別チャネルデータ（ＵＬ）がない場合（図１８ステップＳ６７）、この状態更新フレームにおける自局の状態をサスペンドと決定する（図２０ステップＳ８０）。この場合、移動局７は状態更新フレームの先頭から所定時間Ｔ１後までＤＰＣＣＨ（ＵＬ）を送信した後、ＤＰＣＨ（ＵＬ）の送信を停止する（図２０ステップＳ８１）（図１５のｂ１６参照）。
【０１０９】
移動局７は状態更新フレームの先頭から所定時間Ｔ１までＤＰＣＣＨ（ＤＬ）に含まれるＴＦＣＩを受信し（図２０ステップＳ８２）、ＤＰＤＣＨ（ＤＬ）の送信がないことを確認した後（図２０ステップＳ８３）（図１５のｂ１５参照）、ＣＰＩＣＨの受信と、ＤＰＣＨ（ＤＬ）の受信と、ＨＳ−ＳＣＣＨの受信とを停止する（図２０ステップＳ８４）（図１５のｂ１６参照）。
【０１１０】
基地局６がサスペンドを指示した場合、基地局６はサスペンドを指示しているので（図１５のｂ１９参照）、アクティブ通知受信確認信号は受信しない。また、基地局６はＤＰＣＨ（ＵＬ）を状態更新フレームの先頭から所定時間Ｔ１後まで受信し、ＤＰＣＣＨ（ＵＬ）に含まれるＴＦＣＩを判定してＤＰＤＣＨ（ＵＬ）が送信されていることを確認した場合（図１７ステップＳ５４，Ｓ５５）（図１５のｂ２１参照）、ＤＰＣＨ（ＤＬ）の送信及びＤＰＣＨ（ＵＬ）の受信を継続し（図１７ステップＳ５７）、ＴＦＣＩを判定してＤＰＤＣＨ（ＵＬ）が送信されていないことを確認した場合（図１７ステップＳ５４，Ｓ５５）、ＤＰＣＨ（ＤＬ）の送信及びＤＰＣＨ（ＵＬ）の受信を所定時間Ｔ１後に停止する。基地局６はその状態更新フレーム内において、この移動局７に対するパケット送信をスケジューリングしない。
【０１１１】
移動局７は前段の状態更新フレームにおいて個別チャネルデータ（ＵＬ）がある場合（図１８ステップＳ６９）、個別チャネルデータ（ＵＬ）を状態更新フレーム開始と同時にＤＰＤＣＨにおいて送信し（図１８ステップＳ７０）（図１５のｂ２０参照）、ＤＰＣＨ（ＤＬ／ＵＬ）の送受信を継続する。
【０１１２】
さらに、移動局７はＤＰＣＣＨ（ＤＬ）に含まれるＴＦＣＩを所定時間Ｔ１まで受信し（図２１ステップＳ８５）、ＤＰＤＣＨが送信されていると判断した場合にも（図２１ステップＳ８６）（図１５のｂ２２参照）、ＤＰＣＨ（ＤＬ）の受信及びＤＰＣＨ（ＵＬ）の送信を継続する（図２１ステップＳ８７）。上述した場合以外の場合、移動局７はＤＰＣＨ（ＤＬ／ＵＬ）の送受信を所定のタイミングＴ１で停止する。また、上述したいずれの場合も、移動局７はＨＳ−ＳＣＣＨの受信を所定時間Ｔ１で停止する（図２１ステップＳ８８）。上述した各信号の流れは図１４に示す通りである。
【０１１３】
以上が基地局６及び移動局７の動作であるが、基地局６と移動局７との間の伝搬路で通信異常が発生するという例外もある。つまり、基地局６がアクティブと指示したにもかかわらず、移動局７での状態更新情報の受信にエラーが発生し、サスペンドと決定された場合、基地局６は所定のタイミングでアクティブ通知受信確認信号をモニタし、移動局７がアクティブでないことを判断した後に、ＤＰＣＨ（ＤＬ）の送信及びＤＰＣＨ（ＵＬ）の受信を停止し、移動局７に対してこの状態更新フレーム内においてパケットをスケジューリングしない。
【０１１４】
このように、本実施例では、移動局７が所定のタイミング（状態更新フレームの開始と同時に）で個別チャネルデータ（ＵＬ）を送信するため、基地局６においてＤＰＤＣＨの送受信停止の可否を判定することができ、個別チャネルデータの送受信がない場合に、ＤＰＣＨの送受信を停止することができるので、移動局７の電力消費を削減することができる。
【０１１５】
また、本実施例では、個別チャネルデータの送信がない場合、ＤＰＣＨ（ＤＬ）の送信を停止することができ、その電力をＨＳ−ＰＤＳＣＨに割り当てることができるので、システムスループットを向上させることができる。
【０１１６】
さらに、本実施例では、基地局６がアクティブ通知確認信号を受信することができなかった場合、パケットを送信しないようにすることによって、無駄なパケット送信を避けることができ、システムスループットを向上させることができる。
【０１１７】
さらにまた、本実施例では、基地局６においてパケット送信はなく、個別チャネルデータの送信のみを行う場合、移動局７においてＤＰＣＨ（ＵＬ／ＤＬ）の送受信のみを継続し、その他のパケット受信のみに必要な送受信は停止することができるため、より電力消費を削減することができる。
【０１１８】
尚、本発明の第４の実施例においては、ＣＱＩ情報から決定する送信優先度として、ＣＱＩ情報の示すＤＬ伝搬路状況のよい移動局７の優先度を高くする方法、あるいはＣＱＩ情報から決定する送信優先度として、ＣＱＩ情報に付加されているＣＲＣを判定し、正しくＣＱＩ情報を受信することができた移動局７の優先度を高くする方法をとることも可能である。
【０１１９】
図２２は本発明の第５の実施例による基地局の構成を示すブロック図であり、図２３は図２２に示す基地局８と移動局との間で送受信される信号の流れを示す図である。図２２において、本発明の第５の実施例による基地局８では受信品質測定部８１を設けた以外は図１２に示す本発明の第４の実施例による基地局６と同様の構成となっており、同一構成要素には同一符号を用いている。また、同一構成要素の動作は本発明の第４の実施例と同様である。
【０１２０】
受信品質測定部８１は受信部１３で受信したＤＰＣＨ（ＵＬ）のＤＰＤＣＨ（ＵＬ）及びＤＰＣＣＨ（ＵＬ）の電力を測定し、ＤＰＤＣＨ（ＵＬ）とＤＰＣＣＨ（ＵＬ）との電力比を算出してＵＬデータ有無判定部６１に送出する（図２３参照）。ＵＬデータ有無判定部６１はユーザデータ分離部１４からの制御情報と受信品質測定部８１からのＤＰＤＣＨ（ＵＬ）とＤＰＣＣＨ（ＵＬ）との電力比とを基に、移動局からのＵＬデータがあるか否かを判定し、その判定結果を送受信モード制御部６２に送出する。
【０１２１】
送受信モード制御部６２はＵＬデータ有無判定部６１からの判定結果に基づいて移動局との間の送受信モード［アクティブ／サスペンド］を決定し、その決定結果を受信部１３及び送信部１９にそれぞれ送出する。
【０１２２】
本実施例では、上記の本発明の第４の実施例の効果に加え、ＤＰＣＨ（ＵＬ）においてＴＦＣＩを含まないスロットフォーマットを使用している場合にも適用することができるという効果もある。
【０１２３】
図２４は本発明の第６の実施例による基地局の構成を示すブロック図であり、図２５は図２４に示す基地局９と移動局との間で送受信される信号の流れを示す図である。図２４において、本発明の第６の実施例による基地局９ではＣＲＣ判定部９１を設けた以外は図１２に示す本発明の第４の実施例による基地局６と同様の構成となっており、同一構成要素には同一符号を用いている。また、同一構成要素の動作は本発明の第４の実施例と同様である。
【０１２４】
基地局９は状態更新フレームの先頭から所定モニタ時間Ｔ１までＤＰＣＨ（ＵＬ）を受信し、ＣＲＣ判定部９１はユーザデータ分離部１４で分離されたユーザ情報［ＤＰＤＣＨ（ＵＬ）］を入力し、ＤＰＤＣＨ（ＵＬ）に付加されているＣＲＣを判定し、その判定結果をＵＬデータ有無判定部６１に送出する（図２５参照）。ＵＬデータ有無判定部６１はユーザデータ分離部１４からの制御情報とＣＲＣ判定部９１からのＣＲＣの判定結果とを基に、移動局からのＤＰＤＣＨ（ＵＬ）の送信があるか否かを判定し、その判定結果を送受信モード制御部６２に送出する。
【０１２５】
送受信モード制御部６２はＵＬデータ有無判定部６１からの判定結果に基づいて移動局との間の送受信モード［アクティブ／サスペンド］を決定し、その決定結果を受信部１３及び送信部１９にそれぞれ送出する。また、この場合の移動局はサスペンド状態と指定され、かつ送信すべき個別チャネルデータがない場合、ＤＰＣＨ（ＵＬ／ＤＬ）の送受信を状態更新フレームの先頭からＴ３（Ｔ３＜Ｔ１）にて停止することができる。
【０１２６】
このように、本実施例では、上記の本発明の第４の実施例の効果に加え、サスペンドと指定され、かつ送信すべき個別チャネルデータがない場合に、ＤＰＣＨ（ＵＬ／ＤＬ）の送受信を所定の基地局９のモニタ時間Ｔ１よりも前に停止することができる。したがって、本実施例では、サスペンドにする割合を高めることができ、消費電力を削減することができる。
【０１２７】
尚、本発明では、状態更新情報を送信するチャネルがＨＳＤＰＡ制御情報を送信するＨＳ−ＳＣＣＨを利用せず、別に専用の制御チャネルを設定してもよい。また、本発明では、アクティブ通知受信確認信号の送信方法として、ＨＳ−ＤＰＣＣＨを用いて送信してもよいし、他の制御チャネルを用いて送信してもよい。さらに、本発明では、ＨＳＤＰＡだけでなく、双方向のチャネルで、ユーザデータの送信に使用するＤＣＨ（Ｄｅｄｉｃａｔｅｄ　Ｃｈａｎｎｅｌ）、下り方向の共通チャネルで、制御情報及びユーザデータの送信に使用するＦＡＣＨ（Ｆｏｒｗａｒｄ　Ａｃｃｅｓｓ　Ｃｈａｎｎｅｌ）にも適用することができる。
【０１２８】
つまり、本発明は上記のＨＳＤＰＡサービス等の高速パケット通信以外のパケット通信にも適用することができる。また、本発明は上述した各実施例に限定されるものではなく、上記の各実施例を組合わせて使用することも可能である。
【０１２９】
尚、請求項の記載に関連して本発明はさらに次の態様をとりうる。
【０１３０】
（１）基地局からのパケットの送信を通知するための制御情報を受信することで、前記パケットの受信が可能となる移動局であって、
前記基地局から送信されかつ自局に対する前記パケットの受信が可能か否かの状態の更新を示す送受信状態更新情報に応じて自局における前記状態を更新する手段を有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定し、
前記アクティブ状態への変更指示を受けると、前記パケットの待ち受けと個別チャネルにて送信される個別チャネルデータの送受信とのうちの少なくとも一方を開始することを特徴とする移動局。
【０１３１】
（２）前記サスペンド状態において、前記個別チャネルデータの送信及び前記個別チャネルデータの受信のうちの少なくとも一方を停止することを特徴とする（１）記載の移動局。
【０１３２】
（３）前記送受信状態更新情報が正常受信できない時に前記アクティブ状態とすることを特徴とする（１）または（２）記載の移動局。
【０１３３】
（４）前記アクティブ状態への変更指示の正常受信時に前記基地局に当該変更指示の通知受信確認信号を送信することを特徴とする（１）から（３）のいずれか記載の移動局。
【０１３４】
（５）前記通知受信確認信号として既存の信号を用いることを特徴とする（４）記載の移動局。
【０１３５】
（６）前記通知受信確認信号として下り回線の受信品質を示す下り回線品質情報を用いることを特徴とする（４）記載の移動局。
【０１３６】
（７）前記送受信状態更新情報を受信する直前に前記下り回線品質情報を送信することを特徴とする（５）または（６）記載の移動局。
【０１３７】
（８）前記アクティブ状態において、前記パケットの送受信のための制御情報をモニタすることを特徴とする（１）から（７）のいずれか記載の移動局。
【０１３８】
（９）基地局から第１のチャネルにおいて第１のデータを受信する移動局であって、
基地局から送信されかつ前記第１のデータの受信が可能か否かの状態の更新を示す送受信状態更新情報を受信する手段と、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定する手段と、第２のチャネルで送信される第２のデータを前記送受信状態更新情報の送信タイミングに応じて送信する手段とを有し、
前記第２のデータを送信する手段は、前記第２のデータが発生した次の前記送受信状態更新情報の送信タイミングに応じて送信することを特徴とする移動局。
【０１３９】
（１０）前記第２のチャネルは、制御情報が送信される第３のチャネルとともに送信され、前記第２のデータの送信の有無を、前記第３のチャネルで送信される制御情報を利用して判定することを特徴とする（９）記載の移動局。
【０１４０】
（１１）前記第２のデータの送信有無を判定する前記情報として、前記第２のチャネルの構成を示す送信フォーマット情報を利用することを特徴とする（１０）記載の移動局。
【０１４１】
（１２）前記第２のデータの送信タイミングで送信すべき第２のデータがない場合に、所定のタイミングで前記第３のチャネルと前記第２のチャネルとのうちの少なくとも一方の送信を停止することを特徴とする（９）から（１１）のいずれか記載の移動局。
【０１４２】
（１３）前記第２のチャネルは、制御情報が送信される第３のチャネルとともに送信され、送信すべき第２のデータがない場合に、所定のタイミングで前記第３のチャネルと前記第２のチャネルとのうちの少なくとも一方の送信を停止することを特徴とする（９）記載の移動局。
【０１４３】
（１４）所定の前記送受信状態更新情報の送信タイミングで前記第２のデータの送信がないことを判定した場合、所定のタイミングで前記第２のチャネルと前記第３のチャネルとのうちの少なくとも一方の受信を停止することを特徴とする（９）から（１３）のいずれか記載の移動局。
【０１４４】
（１５）前記第２のデータを送信する際に、当該第２のデータの送信終了時以降も当該第２のデータの送信が行われた単位フレーム内で前記第３のチャネルの送受信を継続することを特徴とする（１０）から（１４）のいずれか記載の移動局。
【０１４５】
（１６）移動局においてパケットの受信を可能とするために前記パケットの送信を通知するための制御情報を前記移動局に送信する基地局であって、
前記移動局における前記パケットの受信が可能か否かの状態の更新を示す送受信状態更新情報を前記移動局に通知する手段を有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定し、
前記サスペンド状態において、前記個別チャネルデータの送信及び前記個別チャネルデータの受信のうちの少なくとも一方を停止することを特徴とする基地局。
【０１４６】
（１７）前記移動局において前記アクティブ状態への変更指示の正常受信時に送信される当該変更指示の通知受信確認信号を受信しない時に前記移動局に対するパケットの送信を停止することを特徴とする（１６）記載の基地局。
【０１４７】
（１８）　前記通知受信確認信号として用いられかつ下り回線の受信品質を示す下り回線品質情報を基に推定されるパケット送信優先度に基づいて前記送受信状態更新情報を決定することを特徴とする（１７）記載の基地局。
移動通信システム。
【０１４８】
（１９）　前記下り回線品質情報の信頼度に基づいて前記送受信状態更新情報を決定することを特徴とする（１８）記載の基地局。
【０１４９】
（２０）　前記送受信状態更新情報を通知する手段は、前記送受信状態更新情報を予め設定された所定タイミングで前記移動局に通知することを特徴とする（１６）から（１９）のいずれか記載の基地局。
【０１５０】
（２１）移動局に第１のチャネルにおいて第１のデータを送信する基地局であって、
前記移動局における前記第１のデータの受信が可能か否かの状態の更新を示す送受信状態更新情報を前記移動局に通知する手段と、第２のチャネルで送信される第２のデータを前記送受信状態更新情報の送信タイミングに応じて送信する手段とを有し、
前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定し、
前記第２のデータを送信する手段は、前記第２のデータが発生した次の前記送受信状態更新情報の送信タイミングに応じて送信することを特徴とする基地局。
【０１５１】
（２２）前記第２のチャネルは、制御情報が送信される第３のチャネルとともに送信され、前記第２のデータの送信の有無を、前記第３のチャネルで送信される制御情報を利用して判定することを特徴とする（２１）記載の基地局。
【０１５２】
（２３）前記第２のデータの送信有無を判定する情報として、前記第２のチャネルの構成を示す送信フォーマット情報を利用することを特徴とする（２１）または（２２）記載の基地局。
【０１５３】
（２４）前記第２のチャネルは、制御情報が送信される第３のチャネルとともに送信され、前記第２のデータの送信の有無を、前記第３のチャネルと前記第２のチャネルとの電力比を用いて判定することを特徴とする（２１）記載の基地局。
【０１５４】
（２５）前記第２のチャネルは、制御情報が送信される第３のチャネルとともに送信され、前記第２のデータの送信の有無を、前記第３のチャネルと前記第２のチャネルとのうちの少なくとも一方の誤り検出結果を用いて判定することを特徴とする（２１）記載の基地局。
【０１５５】
（２６）所定の前記送受信状態更新情報の送信タイミングで前記第２のデータの送信がないことを判定した場合、所定のタイミングで前記第２のチャネルと前記第３のチャネルとのうちの少なくとも一方の受信を停止することを特徴とする（２１）から（２５）記載の基地局。
【０１５６】
（２７）前記第２のデータを送信する際に、当該第２のデータの送信終了時以降も当該第２のデータの送信が行われた単位フレーム内で前記第３のチャネルの送受信を継続することを特徴とする（２１）から（２６）のいずれか記載の基地局。
【０１５７】
（２８）移動局が、基地局からのパケットの送信を通知するための制御情報を受信することで、前記移動局において前記パケットの受信が可能となる移動通信システムのパケット通信方法であって、
前記移動局における前記パケットの受信が可能か否かの状態の更新を示す送受信状態更新情報を前記移動局に通知するステップを前記基地局に有し、
前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定し、
前記移動局は、前記アクティブ状態への変更指示を受けると、前記パケットの待ち受けと個別チャネルにて送信される個別チャネルデータの送受信とのうちの少なくとも一方を開始することを特徴とするパケット通信方法。
【０１５８】
（２９）前記移動局は、前記サスペンド状態において、前記個別チャネルデータの送信及び前記個別チャネルデータの受信のうちの少なくとも一方を停止することを特徴とする（２８）記載のパケット通信方法。
【０１５９】
（３０）前記基地局は、前記サスペンド状態において、前記個別チャネルデータの送信及び前記個別チャネルデータの受信のうちの少なくとも一方を停止することを特徴とする（２８）または（２９）記載のパケット通信方法。
【０１６０】
（３１）前記移動局は、前記送受信状態更新情報が正常受信できない時に前記アクティブ状態とすることを特徴とする（２８）から（３０）のいずれか記載のパケット通信方法。
【０１６１】
（３２）前記移動局は、前記アクティブ状態への変更指示の正常受信時に前記基地局に当該変更指示の通知受信確認信号を送信することを特徴とする（２８）から（３１）のいずれか記載のパケット通信方法。
【０１６２】
（３３）前記移動局は、前記通知受信確認信号として既存の信号を用いることを特徴とする（３２）記載のパケット通信方法。
【０１６３】
（３４）前記移動局は、前記通知受信確認信号として下り回線の受信品質を示す下り回線品質情報を用いることを特徴とする（３２）記載のパケット通信方法。
【０１６４】
（３５）前記基地局は、前記通知受信確認信号を受信しない時に前記移動局に対するパケットの送信を停止することを特徴とする（３２）から（３４）のいずれか記載のパケット通信方法。
【０１６５】
（３６）前記移動局は、前記送受信状態更新情報を受信する直前に前記下り回線品質情報を送信し、
前記基地局は、前記下り回線品質情報を基に推定されるパケット送信優先度に基づいて前記送受信状態更新情報を決定することを特徴とする（３４）または（３５）記載のパケット通信方法。
【０１６６】
（３７）前記基地局は、前記下り回線品質情報の信頼度に基づいて前記送受信状態更新情報を決定することを特徴とする（３４）から（３６）のいずれか記載のパケット通信方法。
【０１６７】
（３８）前記移動局は、前記アクティブ状態において、前記パケットの送受信のための制御情報をモニタすることを特徴とする（２８）から（３７）のいずれか記載のパケット通信方法。
【０１６８】
（３９）前記送受信状態更新情報を通知する手段は、前記送受信状態更新情報を予め設定された所定タイミングで前記移動局に通知することを特徴とする（２８）から（３８）のいずれか記載のパケット通信方法。
【０１６９】
（４０）基地局から移動局に第１のチャネルにおいて第１のデータを送信する移動通信システムのパケット通信方法であって、
前記基地局において、前記移動局における前記第１のデータの受信が可能か否かの状態の更新を示す送受信状態更新情報を前記移動局に通知し、
前記基地局及び前記移動局において、第２のチャネルで送信される第２のデータを前記送受信状態更新情報の送信タイミングに応じて送信し、
前記移動局において、前記送受信状態更新情報に基づいて、前記移動局で前記第１のデータの送信のための制御情報を受信可能とするアクティブ状態と、前記移動局で前記第１のデータの送信のための制御情報を受信不可とするサスペンド状態とのいずれかに設定し、
前記第２のデータを送信する手段は、前記第２のデータが発生した次の前記送受信状態更新情報の送信タイミングに応じて送信することを特徴とするパケット通信方法。
【０１７０】
（４１）前記第２のチャネルは、制御情報が送信される第３のチャネルとともに送信され、
前記基地局及び前記移動局は、前記第２のデータの送信の有無を、前記第３のチャネルで送信される制御情報を利用して判定することを特徴とする（４０）記載のパケット通信方法。
【０１７１】
（４２）前記第２のデータの送信有無を判定する前記情報として、前記第２のチャネルの構成を示す送信フォーマット情報を利用することを特徴とする（４１）記載のパケット通信方法。
【０１７２】
（４２）前記第２のチャネルは、制御情報が送信される第３のチャネルとともに送信され、
前記基地局は、前記第２のデータの送信の有無を、前記第３のチャネルと前記第２のチャネルとの電力比を用いて判定することを特徴とする（４０）記載のパケット通信方法。
【０１７３】
（４３）前記移動局は、前記第２のデータの送信タイミングで送信すべき第２のデータがない場合に、所定のタイミングで前記第３のチャネルと前記第２のチャネルとのうちの少なくとも一方の送信を停止することを特徴とする（４０）から（４２）のいずれか記載のパケット通信方法。
【０１７４】
（４４）前記第２のチャネルは、制御情報が送信される第３のチャネルとともに送信され、
前記移動局は、送信すべき第２のデータがない場合に、所定のタイミングで前記第３のチャネルと前記第２のチャネルとのうちの少なくとも一方の送信を停止し、
前記基地局は、前記第２のデータの送信の有無を、前記第３のチャネルと前記第２のチャネルとのうちの少なくとも一方の誤り検出結果を用いて判定することを特徴とする（４０）記載のパケット通信方法。
【０１７５】
（４５）前記基地局及び移動局は、所定の前記送受信状態更新情報の送信タイミングで前記第２のデータの送信がないことを判定した場合、所定のタイミングで前記第２のチャネルと前記第３のチャネルとのうちの少なくとも一方の受信を停止することを特徴とする（４０）から（４４）記載のパケット通信方法。
【０１７６】
（４６）前記基地局及び移動局は、前記第２のデータを送信する際に、当該第２のデータの送信終了時以降も当該第２のデータの送信が行われた単位フレーム内で前記第３のチャネルの送受信を継続することを特徴とする（４１）から（４５）のいずれか記載のパケット通信方法。
【０１７７】
【発明の効果】
以上説明したように本発明の移動通信システムは、基地局から移動局にパケットの送信を通知するための制御情報を送信することで、移動局においてパケットの受信が可能となる移動通信システムにおいて、移動局におけるパケットの受信と個別チャネルデータの送受信とが可能か否かの状態の更新を示す送受信状態更新情報を予め設定された所定タイミングで移動局に通知し、移動局にパケット及び個別チャネルデータのうちの少なくとも一方を送信する際に送受信状態更新情報として予め設定された単位フレームにおいてパケットの受信及び個別チャネルデータの送受信を可能とするアクティブ状態への変更指示を送信することによって、パケットの待ち受け状態での消費電力を削減しつつ、データ送信の要求があった場合に速やかにパケット送信を行うことができるという効果が得られる。
【０１７８】
また、本発明の他の移動通信システムは、基地局から移動局にパケットの送信を通知するための制御情報を送信することで、移動局においてパケットの受信が可能となる移動通信システムにおいて、個別チャネルデータの送信を予め設定された単位フレーム内の予め設定された所定タイミングで送信することによって、パケットの待ち受け状態での消費電力を削減しつつ、データ送信の要求があった場合に速やかにパケット送信を行うことができるという効果が得られる。
【図面の簡単な説明】
【図１】本発明の実施の形態による移動通信システムの構成を示すブロック図である。
【図２】本発明の第１の実施例による基地局の構成を示すブロック図である。
【図３】本発明の第１の実施例による移動局の構成を示すブロック図である。
【図４】図２に示す基地局と図３に示す移動局との間で送受信される信号の流れを示す図である。
【図５】図５は本発明の第１の実施例による移動通信システムの動作を示すシーケンスチャートである。
【図６】図２に示す基地局の動作を示すフローチャートである。
【図７】図２に示す基地局の動作を示すフローチャートである。
【図８】図３に示す移動局の動作を示すフローチャートである。
【図９】図３に示す移動局の動作を示すフローチャートである。
【図１０】本発明の第２の実施例による基地局の構成を示すブロック図である。
【図１１】本発明の第３の実施例による基地局の構成を示すブロック図である。
【図１２】本発明の第４の実施例による基地局の構成を示すブロック図である。
【図１３】本発明の第４の実施例による移動局の構成を示すブロック図である。
【図１４】図１２に示す基地局と図１３に示す移動局との間で送受信される信号の流れを示す図である。
【図１５】本発明の第４の実施例による移動通信システムの動作を示すシーケンスチャートである。
【図１６】図１２に示す基地局の動作を示すフローチャートである。
【図１７】図１２に示す基地局の動作を示すフローチャートである。
【図１８】図１３に示す移動局の動作を示すフローチャートである。
【図１９】図１３に示す移動局の動作を示すフローチャートである。
【図２０】図１３に示す移動局の動作を示すフローチャートである。
【図２１】図１３に示す移動局の動作を示すフローチャートである。
【図２２】本発明の第５の実施例による基地局の構成を示すブロック図である。
【図２３】図２２に示す基地局と移動局との間で送受信される信号の流れを示す図である。
【図２４】本発明の第６の実施例による基地局の構成を示すブロック図である。
【図２５】図２４に示す基地局と移動局との間で送受信される信号の流れを示す図である。
【図２６】従来例による移動通信システムの構成を示すブロック図である。
【図２７】従来例における基地局と移動局との間で送受信される信号の流れを示す図である。
【符号の説明】
１，４〜６，８，９　基地局
２，７　移動局
３　基地局制御装置
１１，２１　アンテナ
１２，２２　送受信共用器
１３，２３　受信部
１４，２４　ユーザデータ分離部
１５　パケット送信制御部
１６，２８　状態更新決定部
１７　バッファ
１８，２９　信号合成部
１９，３０　送信部
２５　受信品質測定部
２６　パケット受信判定部
２７　パケット制御信号生成部
５１　ＣＱＩ誤り検出部
６１　ＵＬデータ有無判定部
６２　送受信モード制御部
７１　送受信モード制御部
８１　受信品質測定部
９１　ＣＲＣ判定部
【図１】
2004147049.tif 000003
【図２】
2004147049.tif 000004
【図３】
2004147049.tif 000005
【図４】
2004147049.tif 000006
【図５】
2004147049.tif 000007
【図６】
2004147049.tif 000008
【図７】
2004147049.tif 000009
【図８】
2004147049.tif 000010
【図９】
2004147049.tif 000011
【図１０】
2004147049.tif 000012
【図１１】
2004147049.tif 000013
【図１２】
2004147049.tif 000014
【図１３】
2004147049.tif 000015
【図１４】
2004147049.tif 000016
【図１５】
2004147049.tif 000017
【図１６】
2004147049.tif 000018
【図１７】
2004147049.tif 000019
【図１８】
2004147049.tif 000020
【図１９】
2004147049.tif 000021
【図２０】
2004147049.tif 000022
【図２１】
2004147049.tif 000023
【図２２】
2004147049.tif 000024
【図２３】
2004147049.tif 000025
【図２４】
2004147049.tif 000026
【図２５】
2004147049.tif 000027
【図２６】
2004147049.tif 000028
【図２７】
2004147049.tif 000029